(57)【要約】【課題】クレードル型の頭部と３つの脚部とを含む巻上げ三脚を提供する。【解決手段】各脚部１００は、その一端においてクレードル型の頭部２００に自在継手を介して接続されており、その他端は支持のために用いられる。脚部１００の少なくとも１つは、内部に、複数の第１可動継手７及び複数の第２可動継手９を備えており、第１可動継手７と第２可動継手９とは、交互に連続して接続され、ゆるみ止め連結器を介して蝶番で取り付けられている。第１可動継手７及び第２可動継手９はホバーボール孔部を備えており、第１可動継手７と第２可動継手９との間には、バネ５とホバーボール６とが位置している。第１可動継手７及び第２可動継手９が所定の角度で旋回したとき、ホバーボール６はホバーボール孔部内に挟み込まれる。本発明の巻上げ三脚は、脚部１００を堅く巻上げることが可能であり、脚部の巻上げ及び巻戻しがより柔軟となる。【選択図】図１ｂ
2011034037.tif 000002
【特許請求の範囲】
【請求項１】
クレードル型の頭部（２００）と３つの脚部（１００）とを備え、
上記脚部（１００）のそれぞれは、その一端において自在継手を介して上記クレードル型の頭部（２００）に接続されており、その他端において地面に支持される巻上げ三脚であって、
上記脚部（１００）の少なくとも１つは、複数の第１可動継手（７）と複数の第２可動継手（９）とを含んでおり、上記第１可動継手（７）と上記第２可動継手（９）とは、交互に連続して接続され、かつ、ゆるみ止め連結器を介して蝶番で取り付けられていることによって、上記第１可動継手（７）及び上記第２可動継手（９）は、互いに旋回可能となっていることを特徴とする巻上げ三脚。
【請求項２】
上記第１可動継手（７）及び上記第２可動継手（９）にはそれぞれ、ホバーボール孔部が設けられており、上記第１可動継手（７）と上記第２可動継手（９）との間には、バネ（５）及びホバーボール（６）が位置しており、かつ、上記第２可動継手（９）に対して、複数の所定の旋回角度のうちの１つまで上記第１可動継手（７）が旋回したとき、上記バネ（５）が上記ホバーボール（６）を押すことによって、上記ホバーボールが上記ホバーボール孔部に挟み込まれるものである、請求項１に記載の巻上げ三脚。
【請求項３】
上記第１可動継手（７）が、上記第２可動継手（９）に対して、複数の所定の旋回角度のうちの他の１つまで旋回したとき、旋回動作中に上記バネ（５）が収縮することによって上記ホバーボール（６）が上記ホバーボール孔部から開放され、
上記第１可動継手（７）が旋回し、上記第２可動継手（９）に対して、複数の所定の旋回角度のうちの上記他の１つに到達したとき、上記バネ（５）が上記ホバーボール（６）を再度押して、上記ホバーボール（６）が再度上記ホバーボール孔部に挟み込まれるものである、請求項２に記載の巻上げ三脚。
【請求項４】
上記ゆるみ止め連結器は、蝶番運動軸として用いられる雄型突合せリベット（３）及び雌型突合せリベット（４）を包含し、上記雄型突合せリベット（３）及び上記雌型突合せリベット（４）は共に旋回し、上記第１可動継手（７）及び上記第２可動継手（９）上の蝶番孔部と締まりはめを構成するものである、請求項１〜３のいずれか１項に記載の巻上げ三脚。
【請求項５】
上記締まりはめの締めしろ量が０．１〜０．３ｍｍである、請求項４に記載の巻上げ三脚。
【請求項６】
上記第２可動継手（９）の外周にスリーブ継手接続するゴムリング（８）をさらに備えている、請求項１〜３及び５のいずれか１項に記載の巻上げ三脚。
【請求項７】
上記複数の所定の旋回角度が１８０度を含んでいる、請求項２又は３に記載の巻上げ三脚。
【請求項８】
上記第１可動継手（７）及び上記第２可動継手（９）はそれぞれ、上記ホバーボール孔部上に位置する滑面部を備えている、請求項２又は３に記載の巻上げ三脚。
【請求項９】
上記第１可動継手（７）は、それぞれ貫通孔を備えた２つの第１接合部（１１）を包含している、請求項１〜３のいずれか１項に記載の巻上げ三脚。
【請求項１０】
上記第２可動継手（９）は、上記第１接合部（１１）に一致する２つの耳（１４）をそれぞれ備えた、２つの第２接合部（１３）を包含しており、上記２つの耳（１４）は貫通孔を備えている、請求項９に記載の巻上げ三脚。
【請求項１１】
マット（１）と地面に支持される脚接合部（２）とをさらに備え、
上記マット（１）は、上記脚接合部（２）にスリーブ継手接続し、上記脚接合部（２）は、上記ゆるみ止め連結器を介して上記第２可動継手（９）に蝶番でつながれているものである、請求項１〜３のいずれか１項に記載の巻上げ三脚。
【発明の詳細な説明】
【技術分野】
【０００１】
本発明は、写真撮影装置に関し、特に巻上げ三脚に関する。
【背景技術】
【０００２】
三脚は、通常、カメラ又はビジコンカメラを写真撮影のために用いるときに、カメラ又はビジコンカメラを支持するために持いられる。さらに、三脚は、撮影角度の要件を満たすために、調節され得る。
【０００３】
撮影角度の調節を容易に行うために、近年、巻上げ三脚が登場している。巻上げ三脚において、三脚の脚は、他の物の周囲に柔軟に巻上げられ得る。しかしながら、従来の巻上げ三脚の多くにおいて、脚の連結部は、複数のボールクレードル型の頭部自在継手を介してその間が互いに接続されており、巻上げられた三脚の脚は、ボールクレードル型の頭部自在継手の摩擦推力が小さいために伸縮性があり、巻き伸ばすことが非常に容易である。その結果として、三脚上のカメラ又はビジコンが落下し、損傷を受ける可能性がある。
【０００４】
それゆえに、上記欠点を克服する新規な三脚を設計する必要がある。
【発明の概要】
【発明が解決しようとする課題】
【０００５】
従来技術の上記欠点に関して、本発明の目的は、堅く巻上げることが可能であり、かつ柔軟に巻上げ及び巻伸ばし可能な巻上げ三脚を提供することにある。
【課題を解決するための手段】
【０００６】
上記の課題を解決するために、本発明の巻上げ三脚は、クレードル型の頭部と３つの脚部とを備え、上記脚部のそれぞれは、その一端において自在継手を介して上記クレードル型の頭部に接続されており、その他端において地面に支持される。その脚部の少なくとも１つは、複数の第１可動継手と複数の第２可動継手とを含んでおり、上記第１可動継手と上記第２可動継手とは、交互に連続して接続され、かつ、ゆるみ止め連結器を介して蝶番で取り付けられていることによって、上記第１可動継手及び上記第２可動継手は、互いに旋回可能となっている。
【０００７】
上記第１可動継手及び上記第２可動継手にはそれぞれ、ホバーボール孔部が設けられていることが好ましい。上記第１可動継手と上記第２可動継手との間には、バネ及びホバーボールが位置している。上記第２可動継手に対して、複数の所定の旋回角度のうちの１つまで上記第１可動継手が旋回したとき、上記バネが上記ホバーボールを押すことによって、上記ホバーボールが上記ホバーボール孔部に挟み込まれる。
【０００８】
上記第１可動継手が、上記第２可動継手に対して、複数の所定の旋回角度のうちの他の１つまで旋回したとき、旋回動作中に上記バネが収縮することによって上記ホバーボールが上記ホバーボール孔部から開放され、上記第１可動継手が旋回し、上記第２可動継手に対して、複数の所定の旋回角度のうちの上記他の１つに到達したとき、上記バネが上記ホバーボールを再度押して、上記ホバーボールが再度上記ホバーボール孔部に挟み込まれるものであることが好ましい。
【０００９】
上記ゆるみ止め連結器は、蝶番運動軸として用いられる雄型突合せリベット及び雌型突合せリベットを包含し、上記雄型突合せリベット及び上記雌型突合せリベットは共に旋回し、上記第１可動継手及び上記第２可動継手上の蝶番孔部との締まりはめを構成することが好ましい。上記締まりはめの締めしろ量が、０．１〜０．３ｍｍであることがさらに好ましい。
【００１０】
上記三脚は、上記第２可動継手の外周にスリーブ継手接続するゴムリングをさらに備えていることが好ましい。
【００１１】
上記第１可動継手と上記第２可動継手との間の旋回角度が１８０度の時に、上記ホバーボールが上記ホバーボール孔部に挟み込まれることが好ましい。
【００１２】
上記第１可動継手及び上記第２可動継手はそれぞれ、上記ホバーボール孔部上に位置する滑面部を備えていることが好ましい。
【００１３】
上記第１可動継手は、それぞれ貫通孔を供えた２つの第１接合部を包含していることが好ましい。
【００１４】
上記第２可動継手は、上記第１接合部に一致する２つの耳をそれぞれ備えた２つの第２接合部を包含しており、上記２つの耳は貫通孔を備えていることが好ましい。
【００１５】
上記三脚はマットと地面に支持される脚接合部とをさらに備え、上記マットは、上記脚接合部にスリーブ継手接続し、上記脚接合部は、上記ゆるみ止め連結器を介して上記第２可動継手に蝶番でつながれているものであることが好ましい。
【００１６】
本発明の巻上げ三脚は、従来技術の欠点を克服することができる。本発明の巻上げ三脚は、安全機能を有していない自在継手構造を、安全機能を有する三次元構造に置き換えたので、巻上げ可能な脚部はいずれかの表面の周囲に堅く巻上げられることが可能であり、より柔軟に脚部の巻上げ及び巻き戻しを行うことができる。
【図面の簡単な説明】
【００１７】
【図１ａ】本発明の好ましい実施形態における巻上げ三脚の分解構造の概略図である。
【図１ｂ】本発明の好ましい実施形態における巻上げ三脚の分解構造の概略図である。
【図２】本発明の好ましい実施形態における巻上げ三脚の脚の１つの断面図である。
【図３ａ】本発明の好ましい実施形態における第１可動継手の概略図である。
【図３ｂ】本発明の好ましい実施形態における第２可動継手の概略図である。
【図４】本発明の好ましい実施形態における巻上げ三脚の上面図である。
【発明を実施するための形態】
【００１８】
図１ａ、１ｂ、２及び４に示すように、本発明の巻上げ三脚は、３つの脚１００とクレードル型の頭部２００とを備えている。それぞれの脚１００の一端は自在継手を介してクレードル型の頭部２００に接続されており、クレードル型の頭部２００の周囲を球状に回転可能となっている。脚１００の少なくとも１つは、複数の第１可動継手７及び複数の第２可動継手９を包含している。図示したように、第１可動継手７及び第２可動継手９は、交互に連続して接続されており、ゆるみ止め連結器を介して蝶番で取り付けられている。すなわち、第１可動継手７の１つは、第２可動継手９の１つに蝶番で取り付けられており、この第２可動継手９は、他の第１可動継手７の１つに蝶番で順に取り付けられ、以下同様に構成されている。接続長は、実際の適用に基づいて決定することができる。
【００１９】
脚１００のそれぞれは、互いに蝶番で取り付けられた複数の可動継手により構成される。第１可動継手７及び第２可動継手９は、蝶番運動軸の周囲の旋回を通じて、縦揺れ動作をし得る。三脚を使用するとき、それぞれの可動継手は、三脚を特定の形状に伸ばす又は折り曲げるように、旋回することができる。使用の便宜上、三脚を使用しないときは、三脚を巻上げることができる。
【００２０】
本発明の好ましい実施形態において、第１可動継手７と第２可動継手９との間において突合せリベットが用いられる。雄型突合せリベット３及び雌型突合せリベット４を含む、突合せリベットを、第１可動継手７及び第２可動継手９上の穴に締まりはめすることによって、十分な巻上げ力を生みだす。ある実施形態において、締めしろ量が０．１〜０．３ｍｍであるとき、１組の第１可動継手７及び第２可動継手９のそれぞれの間における摩擦推力は、約１０〜５０Ｎに達することが可能であり、例えば１０〜５０Ｎのような摩擦推力量は、第１可動継手７と第２可動継手９とを互いに固定するのに十分大きいが、第１可動継手７と第２可動継手９との間の行き詰まりを形成するには不十分である。第１可動継手７と第２可動継手９とを共に接続させるために、まず、雌型突合せリベット４を、蝶番孔部に取り付ける。次に、雄型突合せリベット３を、蝶番穴に取り付けて雌型突合せリベット４に嵌め込む。
【００２１】
本発明の好ましい実施形態において、図３ａ及び３ｂを参照すると、第１可動継手７は、２つの第１接合部１１を含んでおり、これらの第１接合部１１は、隣接する２つの第２可動継手９に蝶番でそれぞれ取り付けられる。第１接合部１１はそれぞれ、貫通孔１２を有している。
【００２２】
第２可動継手９もまた、２つの第２接合部１３を有しており、これらの第２接合部１３は、第１可動継手７の第１接合部１１に対応する２つの耳１４を有している。耳１４のそれぞれは、第１可動継手７上の貫通孔の径に実質的に一致する径の孔を有している。
【００２３】
図３ｂに示す第２接合部１３は２つの耳１４を備えているが、第１可動継手７と第２可動継手９とをより堅く接続するために、耳の数が二以上になるように耳１４を設計することが可能であり、さらに第１接合部１１はこれに対応する形状に設計されることは、理解され得る。
【００２４】
当業者は、第１可動継手７及び第２可動継手９の両方が、ゆるみ止め接続部を有する蝶番を介して共に接続される限り、第１可動継手及び第２可動継手が本発明の保護範囲を超えることなく、他の形状及び構造を有してもよいことを理解するだろう。
【００２５】
第１可動継手７及び第２可動継手９はそれぞれ、ホバーボール孔部を備えている。第１可動継手７と第２可動継手９との間には、バネ５とホバーボール６とが配置されている。第１可動継手７が第２可動継手９に対して所定の角度まで旋回するとき、バネ５の弾性力の作用に基づいて、ホバーボール６は押され、ホバーボール孔部内に挟み込まれる。本発明の好ましい実施形態において、例えば、脚１００を伸ばすとき、バネ５はその両端から外に向けて押し出され、ホバーボール６を押し、それゆえに、ホバーボール６は、ホバーボール孔部内に挟み込まれる。少なくとも、第１可動継手７と第２可動継手９との間の旋回角度が１８０度であるとき、ホバーボール６はホバーボール孔部内に挟み込まれる。上述した第１可動継手７と第２可動継手９との間の旋回角度は、第１可動継手７の主軸と第２可動継手９との間の開先角度を意味している。
【００２６】
上記所定の旋回角度が１８０度に限定されないことに注意すべきである。すなわち、第１可動継手７及び第２可動継手９は、複数の所定の旋回角度において固定され得る。
【００２７】
上述したように、締めしろ量が０．１〜０．３ｍｍであるとき、それぞれの第１可動継手７及び第２可動継手９の対の間における摩擦推力は、約１０〜５０Ｎに達することができる。それゆえに、操作者は、第１可動継手７と第２可動継手９とを容易に旋回させることができる。
【００２８】
脚を伸ばしているときに、脚を巻上げることが好ましい場合、操作者は、第１可動継手７及び第２可動継手９を旋回させてもよい。第１可動継手７及び第２可動継手９を旋回させる間、バネ５はホバーボール６を後ろ側に引っ張るので、ホバーボール６はホバーボール孔部から開放される。第１可動継手７及び第２可動継手９が他の旋回角度まで旋回し、そこで旋回を停止したとき、バネ５は再びホバーボール６を外部に押し、ホバーボール６はホバーボール孔部内に挟み込まれ、したがって、上述した他の旋回角度において脚が安定する。それゆえに、脚をより柔軟に巻上げ及び巻伸ばし可能にすることができる。
【００２９】
通常、バネ５がホバーボール６を押すときに、ホバーボール６をホバーボール孔部に挟み込むので、音が生じる。したがって、対応する可動継手がすでに適切な位置に旋回したことが、操作者に通知される。
【００３０】
ホバーボールは、第１可動継手７と第２可動継手９との接合部に設けられることが好ましい。上述したように可動し得るように接合された第１接合部１１及び第２接合部１３は、図のように、環状の滑面部を備えている。そして、ホバーボール孔部を、当該滑面部の中心点に配置することが可能である。滑面部は、ホバーボール６に一致する半球の凹部形状を有している。
【００３１】
脚１００の巻上げ中の摩擦推力をさらに上昇させることによって、脚１００をさらに堅く巻上げさせるために、ゴムリング８が第２可動継手９上に配置され得ることが好ましい。例えば、第２可動継手９の外周表面に、ゴムリング８をスリーブ継手接続する浅い溝が設けられている。
【００３２】
本実施形態に係る三脚は、さらに、マット１及び脚接合部２を含むことができる。脚接合部２は、脚１００の端部に接続される。マット１は、脚接合部２を保護するために、脚接合部２にスリーブ継手接続し、地面上で三脚を支持する。脚接合部２は、ゆるみ止め連結器を介して第２可動継手に蝶番で取り付けられる。
【００３３】
本発明において、脚１００の少なくとも１つには、ゆるみ止め蝶番接合部が設けられている。３本の脚の全てに、ゆるみ止め蝶番接合部が設けられていることが好ましい。
【００３４】
第１可動継手７及び第２可動継手９は、ステンレススチール及びアルミニウム合金のような金属材料、又は適切な非金属材料若しくは複合材料により形成されていることができる。
【００３５】
本発明は、上述した好ましい実施形態を参照して説明されるが、その実施は上述した実施形態に限定されない。当業者が本発明の主題から逸脱することなく、様々な変形及び修飾を加え得ることが理解されるだろう。
【００３６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００３７】
１  マット
２  脚接合部
３  雄型突合せリベット
４  雌型突合せリベット
５  バネ
６  ホバーボール
７  第１可動継手
８  ゴムリング
９  第２可動継手
１１  第１接合部
１２  貫通孔
１３  第２接合部
１４  耳
１００  脚（脚部）
２００  頭部
【図１ａ】
2011034037.tif 000003
【図１ｂ】
2011034037.tif 000004
【図２】
2011034037.tif 000005
【図３ａ】
2011034037.tif 000006
【図３ｂ】
2011034037.tif 000007
【図４】
2011034037.tif 000008